(57)【要約】      （修正有）【課題】印刷装置について、設定情報の設定を簡易化する。【解決手段】印刷装置１０は、記録媒体に印刷する印刷部２１と、外部装置からの電波に基づく起電力で動作するＩＣタグ２５と、所定のトリガーで、ＩＣタグ２５が有する不揮発性メモリー２５４に書き込まれた、印刷部２１の設定に関する情報を含む設定関連情報データを読み出し、読み出した設定関連情報データに基づいて設定情報の設定を行う印刷装置制御部２６とを備える。【選択図】図１
2016187895.tif 000002
【特許請求の範囲】
【請求項１】
記録媒体に印刷する印刷部と、
外部装置からの電波に基づく起電力で動作するＩＣタグと、
所定のトリガーで、前記ＩＣタグが有するメモリーに書き込まれた、前記印刷部の設定に関する情報を含む設定関連情報を読み出し、読み出した前記設定関連情報に基づいて設定情報の設定を行う制御部と、
を備えることを特徴とする印刷装置。
【請求項２】
前記制御部は、
設定の変更があった場合、前記ＩＣタグが有する前記メモリーの内容を、変更後の設定に対応する内容へと書き換える請求項１に記載の印刷装置。
【請求項３】
前記制御部は、
エラーが発生した場合、発生したエラーを示す情報を前記ＩＣタグが有する前記メモリーに書き込む請求項１又は２に記載の印刷装置。
【請求項４】
前記制御部は、
前記印刷部に関するステータスを示す情報を前記ＩＣタグが有する前記メモリーに書き込む請求項１乃至３のいずれか１項に記載の印刷装置。
【請求項５】
前記制御部は、
接続されたデバイスに関するステータスを示す情報を前記ＩＣタグが有する前記メモリーに書き込む請求項１乃至４のいずれか１項に記載の印刷装置。
【請求項６】
記録媒体に印刷する印刷部を備える印刷装置の制御方法であって、
所定のトリガーで、外部装置からの電波に基づく起電力で動作するＩＣタグが有するメモリーに書き込まれた、前記印刷部の設定に関する情報を含む設定関連情報を読み出し、
読み出した前記設定関連情報に基づいて設定情報の設定を行う
ことを特徴とする印刷装置の制御方法。
【発明の詳細な説明】
【技術分野】
【０００１】
本発明は、印刷装置、及び、印刷装置の制御方法に関する。
【背景技術】
【０００２】
従来、携帯端末と印刷装置とが無線通信するシステムが知られている（例えば、特許文献１参照）。
【先行技術文献】
【特許文献】
【０００３】
【特許文献１】特開２０１４−０７２６７０号公報
【発明の概要】
【発明が解決しようとする課題】
【０００４】
一般に、特許文献１のように印刷機能を有する印刷装置は、印刷に関する設定情報や、通信に関する設定情報等の設定が事前に行われ、設定情報に基づく処理を実行する。そして、印刷装置について、設定情報の設定を簡易化したいとするニーズがある。
本発明は、上述した事情に鑑みてなされたものであり、印刷装置について、設定情報の設定を簡易化することを目的とする。
【課題を解決するための手段】
【０００５】
上記目的を達成するために、本発明の印刷装置は、記録媒体に印刷する印刷部と、外部装置からの電波に基づく起電力で動作するＩＣタグと、所定のトリガーで、前記ＩＣタグが有するメモリーに書き込まれた、前記印刷部の設定に関する情報を含む設定関連情報を読み出し、読み出した前記設定関連情報に基づいて設定情報の設定を行う制御部と、を備えることを特徴とする。
本発明の構成によれば、印刷装置について、設定情報の設定を簡易化できる。
【０００６】
また、本発明の印刷装置は、前記制御部は、設定の変更があった場合、前記ＩＣタグが有する前記メモリーの内容を、変更後の設定に対応する内容へと書き換える。
本発明の構成によれば、印刷装置の設定について、ＩＣタグが有するメモリーの内容と、変更後の設定が示す内容との同一性を維持できる。
【０００７】
また、本発明の印刷装置は、前記制御部は、エラーが発生した場合、発生したエラーを示す情報を前記ＩＣタグが有する前記メモリーに書き込む。
本発明の構成によれば、印刷装置の電源のオン／オフにかかわらず、また、印刷装置のエラーの状態にかかわらず、ＩＣタグから、発生したエラーを示す情報を読み出すことができる。
【０００８】
また、本発明の印刷装置は、前記制御部は、前記印刷部に関するステータスを示す情報を前記ＩＣタグが有する前記メモリーに書き込む。
本発明の構成によれば、印刷装置の電源のオン／オフにかかわらず、また、印刷装置のエラーの状態にかかわらず、ＩＣタグから、ステータスを示す情報を読み出すことができる。
【０００９】
また、本発明の印刷装置は、前記制御部は、接続されたデバイスに関するステータスを示す情報を前記ＩＣタグが有する前記メモリーに書き込む。
本発明の構成によれば、印刷装置の電源のオン／オフにかかわらず、また、印刷装置のエラーの状態にかかわらず、ＩＣタグから、デバイスのステータスを示す情報を読み出すことができる。
【００１０】
また、上記目的を達成するために、本発明は、記録媒体に印刷する印刷部を備える印刷装置の制御方法であって、所定のトリガーで、外部装置からの電波に基づく起電力で動作するＩＣタグが有するメモリーに書き込まれた、前記印刷部の設定に関する情報を含む設定関連情報を読み出し、読み出した前記設定関連情報に基づいて設定情報の設定を行うことを特徴とする。
本発明の構成によれば、印刷装置について、設定情報の設定を簡易化できる。
【図面の簡単な説明】
【００１１】
【図１】本実施形態に係る印刷システムの機能ブロック図。
【図２】タブレット端末、印刷装置の動作を示すフローチャート。
【図３】タブレット端末、印刷装置が有するＩＣタグの動作を示すフローチャート。
【図４】印刷装置の動作を示すフローチャート。
【図５】印刷装置の動作を示すフローチャート。
【図６】タブレット端末、印刷装置の動作を示すフローチャート。
【発明を実施するための形態】
【００１２】
以下、図面を参照して本発明の実施形態について説明する。
図１は、本実施形態に係る印刷システム１の機能的構成を示すブロック図である。
印刷システム１は、印刷機能を有する印刷装置１０をホストコンピューターとして機能するタブレット端末１１により制御して、印刷装置１０により記録媒体に画像を印刷するシステムである。
【００１３】
印刷装置１０は、単票紙、連続紙、その他の記録媒体がセットされ、セットされた記録媒体にシリアル型のインクジェットヘッドでドットを形成して画像を印刷するシリアルインクジェットプリンターである。
図１に示すように、印刷装置１０は、印刷装置制御部２０（制御部）と、印刷部２１と、印刷装置記憶部２２と、印刷装置無線通信部２３と、タグ通信部２４と、ＩＣタグ２５と、を備える。
【００１４】
印刷装置制御部２０は、ＣＰＵや、ＲＯＭ、ＲＡＭ、その他周辺回路等を備え、印刷装置１０を制御する。
【００１５】
印刷部２１は、印刷装置１０にセットされた記録媒体を搬送する搬送機構や、インクジェットヘッドによって記録媒体にドットを形成して画像を印刷する印刷機構等の記録媒体への印刷に関する各種機構を備える。印刷部２１は、印刷装置制御部２０の制御で、搬送機構により記録媒体を搬送し、印刷機構により記録媒体にドットを形成して画像を印刷する。
【００１６】
印刷装置記憶部２２は、不揮発性メモリーを備え、各種データを記憶する。印刷装置記憶部２２は、設定ファイルＳＦを記憶する。設定ファイルＳＦについては、後述する。
【００１７】
印刷装置無線通信部２３は、印刷装置制御部２０の制御で、所定の通信規格に従って、タブレット端末１１と無線通信する。通信規格は、Bluetooth（登録商標）に係る規格や、無線ＬＡＮに係る規格、有線ＬＡＮに係る規格等、何でもよい。
【００１８】
タグ通信部２４は、印刷装置制御部２０の制御で、所定の近距離無線の通信規格に従って、ＩＣタグ２５と通信する。
【００１９】
ＩＣタグ２５は、外部装置から送信される電波（無線震央）を受信するアンテナを備え、このアンテナに誘起される起電力によりＩＣを駆動する受動型のＩＣタグである。特に、本実施形態に係るＩＣタグ２５は、データの送信、及び、受信を実行可能である。
ＩＣタグ２５は、タグ制御部２５１と、送受信部２５２と、ＳＲＡＭ（Static Random Access Memory）２５３と、不揮発性メモリー２５４と、タグインターフェース２５５とを備える。
【００２０】
タグ制御部２５１は、制御用の集積回路（ＩＣ（Integrated Circuit））を備え、ＩＣタグ２５の各部を制御する。
【００２１】
送受信部２５２は、所定の近距離無線の通信規格に対応するアンテナ（図示略）と、ＲＦ送受信回路（図示略）とを備える。
データの送信に際し、送受信部２５２は、タグ制御部２５１から入力された送信データのエンコード、変調を行い、変調された送信データをＲＦ送受信回路により電波としてアンテナを介して送信する。
データの受信に際し、送受信部２５２は、アンテナを介して受信した電波を示す信号を復調、デコードし、タグ制御部２５１に出力する。
【００２２】
ＳＲＡＭ２５３は、データを一時記憶する。ＳＲＡＭ２５３には、印刷装置１０の電源がオンの間、印刷装置１０の電源から電力が供給される。従って、ＳＲＡＭ２５３へのデータの書き込み、及び、ＳＲＡＭ２５３へのデータの読み出しは、印刷装置１０の電源がオンの間に可能である。
【００２３】
不揮発性メモリー２５４は、データを不揮発的に記憶する。不揮発性メモリー２５４には、ＩＣタグ２５のアンテナに誘起される起電力により電力が供給される。従って、印刷装置１０の電源のオン／オフにかかわらず、外部装置によりＩＣタグ２５へのデータの書き込み、及び、ＩＣタグ２５からのデータの読み出しを行える。
【００２４】
タグインターフェース２５５は、タグ制御部２５１の制御で、タグ通信部２４と所定の通信規格に従って通信する。
【００２５】
タブレット端末１１は、前面の広い領域にタッチパネルであるタッチパネル３１が設けられたタブレット型の（板状の）端末である。
図１に示すように、タブレット端末１１は、端末制御部３０と、タッチパネル３１と、端末記憶部３２と、端末無線通信部３３と、タグ読書部３４と、を備える。
【００２６】
端末制御部３０は、ＣＰＵや、ＲＯＭ、ＲＡＭ、その他周辺回路等を備え、タブレット端末１１を制御する。
【００２７】
タッチパネル３１は、液晶表示パネル等の表示パネルと、表示パネルに重ねて設けられたタッチセンサーとを備える。表示パネルは、端末制御部３０の制御で、各種画像を表示する。タッチセンサーは、タッチ操作を検出し、端末制御部３０に出力する。端末制御部３０は、タッチセンサーからの入力に基づいて、タッチ操作に対応する処理を実行する。
【００２８】
端末記憶部３２は、不揮発性メモリーを備え、各種データを記憶する。
【００２９】
端末無線通信部３３は、端末制御部３０の制御で、所定の通信規格に従って、印刷装置１０と無線通信する。
【００３０】
タグ読書部３４は、端末制御部３０の制御で、ＩＣタグ２５へのデータの書き込み、及び、ＩＣタグ２５からのデータの読み出しを行う。
すなわち、タグ読書部３４は、ＩＣタグ２５に対するデータの書き込み又はデータの読み出しを行う際、まず、所定周波数の搬送波を送信し、この搬送波に重畳して検出用信号を送信する。タグ読書部３４が送信した搬送波によってＩＣタグ２５のアンテナに起電力が誘起されると、この起電力によりＩＣタグ２５のタグ制御部２５１の集積回路（ＩＣ）がオンに切り替わり、検出用信号を受信して、この検出用信号に対して応答する応答信号を送信する。タグ読書部３４は、ＩＣタグ２５が送信した応答信号を受信すると、搬送波の出力を継続しながら、応答信号を送信したＩＣタグ２５を、データの書き込み及びデータの読み出しの対象として設定し、データの書き込み及びデータの読み出しを開始する旨を通知する信号を送信する。その後は、タグ読書部３４が搬送波の出力を継続しながら、タグ読書部３４とＩＣタグ２５との間で無線信号が送受信され、ＩＣタグ２５のＳＲＡＭ２５３又は不揮発性メモリー２５４が記憶するデータの読み出し、及び、ＩＣタグ２５のＳＲＡＭ２５３又は不揮発性メモリー２５４へのデータの書き込みが行われる。
【００３１】
次に、タブレット端末１１の制御で印刷装置１０が印刷するときのタブレット端末１１、及び、印刷装置１０の動作について説明する。
【００３２】
図２は、タブレット端末１１の制御で印刷装置１０が印刷するときのタブレット端末１１、及び、印刷装置１０の動作を示すフローチャートであり、（Ａ）はタブレット端末１１の動作を示し、（Ｂ）は印刷装置１０の動作を示す。
【００３３】
図２（Ａ）に示すように、タブレット端末１１の端末制御部３０は、印刷データを生成する（ステップＳＡ１）。印刷データは、所定の画像の印刷を指示する制御データであり、印刷装置１０のコマンド体系に対応する制御コマンドを含んで構成される。
タブレット端末１１には、印刷装置１０のコマンド体系に対応する制御コマンドにより制御データを生成する機能を有するアプリケーションがインストールされる。ステップＳＡ１において、端末制御部３０は、アプリケーションの機能により、制御データを生成する。
【００３４】
次いで、端末制御部３０は、端末無線通信部３３を制御して、生成した印刷データを、印刷装置１０に送信する（ステップＳＡ２）。
【００３５】
図２（Ｂ）に示すように、印刷装置１０の印刷装置制御部２０は、印刷装置無線通信部２３を制御して、印刷データを受信する（ステップＳＢ１）。
次いで、印刷装置制御部２０は、設定ファイルＳＦを参照し、印刷設定情報（後述）を取得する（ステップＳＢ２）。
設定ファイルＳＦは、印刷装置１０の各種設定について、設定項目と、設定値との組み合わせが記述されたファイルである。設定項目と設定値との組み合わせが「設定情報」に設定する。また、「設定情報を設定する」とは、設定ファイルＳＦに記述された設定項目に対して、対応する設定値をセットすることをいう。
設定項目には、印刷部２１の設定に関する設定項目（以下、「印刷設定項目」という。）、及び、印刷装置無線通信部２３の設定に関する設定項目（以下、「通信設定項目」という。）が含まれる。
印刷設定項目は、例えば、印刷濃度に係る設定項目や、印刷速度に係る設定項目、記録媒体のサイズや、紙質等により規格化された記録媒体の種類に係る設定項目等が含まれる。
通信設定項目は、例えば、ＤＨＣＰサーバーによるＩＰアドレスの自動割り当ての有効／無効に係る設定項目や、ＭＡＣアドレスに係る設定項目、無線通信で使用するネットワーク識別子に係る設定項目、無線通信で使用するパスワードに係る設定項目等が含まれる。
以下、印刷設定項目と設定値との組み合わせを「印刷設定情報」といい、通信設定項目と設定値との組み合わせを「通信設定項目」という。
【００３６】
次いで、印刷装置制御部２０は、ステップＳＢ２で取得した印刷設定情報が示す設定に従って、ステップＳＢ１で受信した印刷データに基づいて、印刷部２１を制御し、記録媒体に所定の画像を記録させる（ステップＳＢ３）。
【００３７】
以上のように、印刷装置１０は設定情報（設定項目と設定値との組み合わせ）が記述された設定ファイルＳＦを記憶する。
ここで、設定ファイルＳＦの各設定項目には、印刷装置１０が製造された後、仕向地に出荷される際に、仕向地に対応する設定値が初期値としてセットされる。
本実施形態では、印刷装置１０にＩＣタグ２５が設けられることを利用して、設定ファイルＳＦの設定項目への設定値のセットに係る作業が簡易化される。以下、詳述する。
【００３８】
図３（Ａ）は、出荷時の設定情報の設定時におけるタブレット端末１１、及び、印刷装置１０のＩＣタグ２５の動作を示すフローチャートであり、（Ａ）はタブレット端末１１の動作を示し、（Ｂ）はＩＣタグ２５の動作を示す。
なお、以下では、処理を実行する主体が、タブレット端末１１であるものとして、図３（Ａ）のフローチャートの処理を説明する。しかしながら、図３（Ａ）のフローチャートの処理の主体は、タブレット端末１１に限らず、タグ読書部３４の機能（ＩＣタグ２５にデータの書き込みを行う機能）を有していれば、どのような装置でもよい。
【００３９】
なお、図３のフローチャートは、以下のことを前提とする。すなわち、印刷装置１０の電源がオンされておらず、従って、印刷装置１０の電源プラグを商用電源供給用のコンセントに接続する必要が無い状態である。そして、複数（例えば、１００台）の印刷装置１０が、仕向地ごとに設けられたラインに並んで設置されて、以下の処理が行われる。
【００４０】
まず、担当者により、タブレット端末１１と、処理対象の印刷装置１０とが近接される。なお、タブレット端末１１と、印刷装置１０とを近接させる処理は、人為的に行われてもよく、また、ベルトコンベアで印刷装置１０が搬送され、印刷装置１０が所定の位置に到来したときに印刷装置１０とタブレット端末１１とが近接する仕組みのシステム等、所定のシステムにより自動的に行われてもよい。
図３（Ａ）に示すように、タブレット端末１１と印刷装置１０との近接に応じて、タブレット端末１１の端末制御部３０は、上述した検出用信号に対する応答信号に基づいてＩＣタグ２５を検出する（ステップＳＣ１）。
次いで、端末制御部３０は、タグ読書部３４を制御して、端末記憶部３２が記憶する設定関連情報データを、無線信号により送信する（ステップＳＣ２）。
【００４１】
設定関連情報データとは、設定ファイルＳＦに記述された設定項目（全ての設定項目でなくてもよい。）に初期値としてセットする仕向地に対応した設定値を有する所定フォーマットのデータである。例えば、設定関連情報データは、所定のビット目に、印刷濃度に係る設定項目にセットする設定値を有し、他の所定のビット目に印刷速度に係る設定項目にセットする設定値を有する。
設定関連情報データに含まれる情報は、「設定関連情報」に相当する。
【００４２】
ＩＣタグ２５のタグ制御部２５１は、送受信部２５２を制御して、設定関連情報データを受信し、受信した設定関連情報データを不揮発性メモリー２５４に書き込む（記憶させる。）（ステップＳＤ１）。
不揮発性メモリー２５４に書き込まれた設定関連情報データは、出荷時に以下のように使用される。
【００４３】
図４は、設定関連情報データが不揮発性メモリー２５４に記憶された後、電源が投入された場合の印刷装置１０の動作を示すフローチャートである。
出荷時において、印刷装置１０は、図３のフローチャートの処理で不揮発性メモリー２５４に設定関連情報データが書き込まれた後、印刷装置１０は、例えば、印刷テストを行う工程等の所定の工程で、電源がオンされる。そして、設定関連情報データの書き込み後の１回目の電源のオンをトリガーとして、印刷装置１０は、図４のフローチャートに示す処理を実行する。
【００４４】
図４に示すように、印刷装置１０の印刷装置制御部２０は、電源のオン（ステップＳＥ１）をトリガーとして、タグ通信部２４を制御して、タグ制御部２５１と通信し、不揮発性メモリー２５４に書き込まれた設定関連情報データを読み出す（ステップＳＥ２）。
次いで、印刷装置制御部２０は、読み出した設定関連情報データに基づいて、設定ファイルＳＦの設定情報を設定する（ステップＳＥ３）。すなわち、印刷装置制御部２０は、設定ファイルＳＦに記述された設定項目に対して、設定関連情報データが有する対応する設定値をセットする。なお、印刷装置制御部２０は、事前に登録された情報に基づいて、設定関連情報データにおいて、何ビット目に何の設定項目の設定値が格納されたかを管理する。
【００４５】
以上、図３、及び、図４のフローチャートを用いて、出荷時の印刷装置１０の動作を説明した。
ここで、従来は、設定ファイルＳＦの設定情報の設定は、印刷装置１０の電源をオンした状態で、設定ファイルＳＦの設定情報の設定を行う機能を有する所定のソフトウェアツールがインストールされた専用端末を接続し、専用端末を操作して行われていた。一方で、本実施形態では、まず、ＩＣタグ２５の不揮発性メモリー２５４に、設定関連情報データが書き込まれる。設定関連情報データの書き込みは、印刷装置１０と、タブレット端末１１（他の装置でもよい。）とを近接させるという簡易な作業で行うことができ、かつ、複数の印刷装置１０に対して、複雑な工程を経ることなく連続して行うことができる。そして、出荷時の所定の工程で印刷装置１０の電源がオンされたときに、印刷装置１０により、自動で、設定関連情報データに基づく設定情報の設定が行われる。このため、従来と比較して、設定情報の設定を簡易に、かつ、効率よく行うことができる。
【００４６】
次に、出荷後の印刷装置１０の３つの処理について、説明する。
【００４７】
図５（Ａ）は、出荷後の印刷装置１０の１の動作を示すフローチャートである。
ここで、印刷装置１０が記憶する設定ファイルＳＦに記述された設定項目にセットされた設定値の値は、ユーザーが、所定の手段により、更新することが可能である。
印刷装置１０の印刷装置制御部２０は、設定ファイルＳＦの設定項目について、設定値の更新があったか否かを関する（ステップＳＦ１）。
設定値の更新があった場合（ステップＳＦ１：ＹＥＳ）、印刷装置制御部２０は、タグ通信部２４を制御して、タグ制御部２５１に、不揮発性メモリー２５４が記憶する設定関連情報データのうち、対応する設定値について、更新後の設定値に書き換えることを指示する制御コマンドを送信する（ステップＳＦ２）。
タグ制御部２５１は、制御コマンドを受信し、設定関連情報データの対応する設定値について、更新後の設定値に書き換える（ステップＳＦ３）。
【００４８】
以上の処理が行われることにより、設定関連情報データが有する設定値と、設定ファイルＳＦに記述された設定値について、同一性が維持される。
ここで、タブレット端末１１の端末制御部３０は、タグ読書部３４を制御して、近距離無線通信が可能な場所に位置する印刷装置１０のＩＣタグ２５から、不揮発性メモリー２５４に記憶された設定関連情報データを読み出す機能を有する。また、端末制御部３０は、読み出した関連設定情報データに基づいて、印刷装置１０の設定項目にセットされた設定値を一覧表示したユーザーインターフェースをタッチパネル３１に表示する機能を有する。
そして、設定関連情報データが有する設定値と、設定ファイルＳＦに記述された設定値について、同一性が維持されるため、印刷装置１０の電源のオン／オフにかかわらず、また、印刷装置１０のエラーの状態にかかわらず、ユーザーは、タブレット端末１１を印刷装置１０に近接させるという簡易な作業で、タブレット端末１１の機能により、印刷装置１０の設定ファイルＳＦの設定項目にセットされた設定値を参照できる。
【００４９】
図５（Ｂ）は、出荷後の印刷装置１０の別の動作を示すフローチャートである。
印刷装置１０の印刷装置制御部２０は、印刷装置１０にエラーが発生したか否かを監視する（ステップＳＧ１）。エラーは、例えば、インクジェットによるインクの吐出不良や、温度異常等の印刷機構に関するエラー、記録媒体の紙詰まり等の搬送機構に関するエラー、印刷装置無線通信部２３による通信不能等の通信に関するエラー等である。印刷装置１０は、図示しないセンサーからの入力や、ソフトウェアによるエラーの検出処理の処理結果等に基づいて、エラーが発生した場合、そのことを検出する。
【００５０】
エラーが発生した場合（ステップＳＧ１：ＹＥＳ）、印刷装置制御部２０は、タグ通信部２４を制御して、タグ制御部２５１に、不揮発性メモリー２５４の所定の記憶領域に、発生したエラーを示す情報を書き込むことを指示する制御コマンドを送信する（ステップＳＧ２）。
タグ制御部２５１は、制御コマンドを受信し、不揮発性メモリー２５４の所定の記憶領域に、発生したエラーを示す情報を書き込む（ステップＳＧ３）。
なお、不揮発性メモリー２５４に書き込まれたエラーを示す情報は、対応するエラーが解消した場合に、印刷装置制御部２０の制御で、消去される。
【００５１】
以上の処理が行われることにより、印刷装置１０にエラーが発生した場合、発生したエラーを示す情報が不揮発性メモリー２５４に書き込まれる。
ここで、タブレット端末１１の端末制御部３０は、タグ読書部３４を制御して、近距離無線通信が可能な場所に位置する印刷装置１０のＩＣタグ２５から、不揮発性メモリー２５４に記憶されたエラーを示す情報を読み出す機能を有する。また、端末制御部３０は、読み出したエラーを示す情報に基づいて、エラーを示す情報を表示したユーザーインターフェースをタッチパネル３１に表示する機能を有する。
そして、印刷装置１０にエラーが発生した場合、発生したエラーを示す情報が不揮発性メモリー２５４に書き込まれるため、印刷装置１０の電源のオン／オフにかかわらず、また、印刷装置１０のエラーの状態にかかわらず、ユーザーは、タブレット端末１１を印刷装置１０に近接させるという簡易な作業で、タブレット端末１１の機能により、印刷装置１０に発生したエラーを認識できる。特に、通信に関するエラーが発生しており、印刷装置無線通信部２３と、端末無線通信部３３との間で無線通信ができない状態でも、ユーザーは、印刷装置１０に発生したエラーを認識できる。
【００５２】
図５（Ｃ）は、出荷後の印刷装置１０の別の動作を示すフローチャートである。
印刷装置１０の印刷装置制御部２０は、印刷装置１０のステータスに変化があったか否かを監視する（ステップＳＨ１）。ステータスは、印刷装置１０の動作モード等、印刷装置１０の状態を示す情報である。ステータスは、印刷装置１０にデバイスが接続可能な場合は、接続されたデバイスの状態を示す情報を含んでもよい。
【００５３】
ステータスに変化があった場合（ステップＳＨ１：ＹＥＳ）、印刷装置制御部２０は、タグ通信部２４を制御して、タグ制御部２５１に、不揮発性メモリー２５４の所定の記憶領域に記憶されたステータスデータの内容を、変化後のステータスに基づいて更新することを指示する制御コマンドを送信する（ステップＳＨ２）。
ステータスデータとは、印刷装置１０、及び、印刷装置１０に接続可能なデバイスの各ステータスについて、ステータスを示す情報を含んで構成された所定のフォーマットのデータである。
タグ制御部２５１は、制御コマンドを受信し、不揮発性メモリー２５４の所定の記憶領域に記憶されたステータスデータの内容を更新する（ステップＳＨ３）。
【００５４】
以上の処理が行われることにより、印刷装置１０、及び、印刷装置１０に接続されたデバイスの実際のステータスと、ステータスデータが示すステータスとの同一性が維持される。
ここで、タブレット端末１１の端末制御部３０は、タグ読書部３４を制御して、近距離無線通信が可能な場所に位置する印刷装置１０のＩＣタグ２５から、不揮発性メモリー２５４に記憶されたステータスデータを読み出す機能を有する。また、端末制御部３０は、読み出したステータスデータに基づいて、印刷装置１０、及び、印刷装置１０に接続されたデバイスのステータスを一覧表示したユーザーインターフェースをタッチパネル３１に表示する機能を有する。
そして、印刷装置１０、及び、印刷装置１０に接続されたデバイスの実際のステータスと、ステータスデータが示すステータスとの同一性が維持されるため、印刷装置１０の電源のオン／オフにかかわらず、また、印刷装置１０のエラーの状態にかかわらず、ユーザーは、タブレット端末１１を印刷装置１０に近接させるという簡易な作業で、タブレット端末１１の機能により、印刷装置１０、及び、印刷装置１０に接続されたデバイスのステータスを取得できる。
【００５５】
ここで、タブレット端末１１は、印刷装置１０のＩＣタグ２５を利用して、印刷装置１０の設定ファイルＳＦの内容を変更することができる。
以下、ユーザーが、印刷装置１０に記録媒体をセットする際に、ＩＣタグ２５を利用して、設定ファイルＳＦにおける記録媒体の種類に係る設定項目（以下、「記録媒体種類設定項目」という。）に、印刷装置１０にセットする記録媒体の種類を示す設定値をセットするときのタブレット端末１１と、印刷装置１０の動作について説明する。
【００５６】
図６は、ＩＣタグ２５を利用して、設定ファイルＳＦの記録媒体種類設定項目に、ユーザーが印刷装置１０にセットする記録媒体の種類を示す設定値を設定するときのタブレット端末１１、及び、印刷装置１０の動作を示すフローチャートである。図６（Ａ）はタブレット端末１１の動作を示し、図６（Ｂ）は印刷装置１０の動作を示す。
【００５７】
ユーザーは、タブレット端末１１にインストールされた所定のアプリケーションを起動する。所定のアプリケーションは、記録媒体の種類を入力する欄と、設定ファイルＳＦの書き換えの実行を指示するボタンとを備えるユーザーインターフェースを提供する機能を有する。
ユーザーは、当該ユーザーインターフェースに記録媒体の種類を入力し、ボタンを操作して、設定ファイルＳＦの書き換えの実行を指示する（ステップＳＸ１）。
【００５８】
図６（Ａ）に示すように、タブレット端末１１の端末制御部３０は、ユーザーインターフェースに対する設定ファイルＳＦの書き換えの実行の指示に応じて、ユーザーインターフェースに入力された記録媒体の種類を取得する（ステップＳＩ１）。
なお、端末制御部３０は、記録媒体の種類を取得する方法は、上述した方法に限らない。
例えば、タブレット端末１１が２次元バーコード等のコードを読み取る機能を有し、記録媒体や、記録媒体の包装に、記録媒体の種類が記録されたコードが付される場合は、端末制御部３０は、コードの読み取り結果に基づいて、記録媒体の種類を取得してもよい。
【００５９】
ユーザーインターフェースへの入力後、ユーザーは、タブレット端末１１を印刷装置１０に近接させる（ステップＳＸ２）
タブレット端末１１の印刷装置１０への近接に応じて、ＩＣタグ２５を検出すると、端末制御部３０は、ステップＳＩ１で取得した記録媒体の種類（以下、「新記録媒体種類」という。）に基づいて、以下の２つの制御コマンドを、ＩＣタグ２５に送信する（ステップＳＩ２）。
制御コマンドの１つは、設定ファイルＳＦの記録媒体種類設定項目に、新記録媒体種類を示す設定値をセットすることを印刷装置制御部２０に指示する制御コマンド（以下、「第１制御コマンド」という。）である。
制御コマンドの他の１つは、ＩＣタグ２５の不揮発性メモリー２５４が記憶する設定関連情報データについて、記録媒体の種類を示す設定値を、新記録媒体種類を示す設定値に書き換えることをタグ制御部２５１に指示する制御コマンド（以下、「第２制御コマンド」という。）である。
【００６０】
図６（Ｂ）に示すように、ＩＣタグ２５のタグ制御部２５１は、送受信部２５２を制御して、第１制御コマンド、及び、第２制御コマンドを受信する（ステップＳＪ１）。タグ制御部２５１は、受信した第１制御コマンド、及び、第２制御コマンドをＳＲＡＭ２５３に一時的に格納する。
次いで、タグ制御部２５１は、タグインターフェース２５５を制御して、タグ通信部２４を介してＳＲＡＭ２５３に格納した第１制御コマンドを印刷装置制御部２０に出力する（ステップＳＪ２）。
印刷装置制御部２０は、入力された第１制御コマンドに基づいて、設定ファイルＳＦの記録媒体種類設定項目に、新記録媒体種類を示す設定値をセットする（ステップＳＪ３）。
【００６１】
また、タグ制御部２５１は、ＳＲＡＭ２５３に格納した第２制御コマンドに基づいて、ＩＣタグ２５の不揮発性メモリー２５４が記憶する設定関連情報データについて、記録媒体の種類を示す設定値を、新記録媒体種類を示す設定値に書き換える。
【００６２】
以上のように、本実施形態では、タブレット端末１１のタグ読書部３４から、印刷装置１０のＩＣタグ２５に対して、近距離無線により、制御コマンドを送信して、印刷装置１０に制御コマンドに基づく処理を実行させることができる。このため、通信に関するエラーが発生しており、印刷装置無線通信部２３と、端末無線通信部３３との間で無線通信ができない状態でも、ユーザーは、タブレット端末１１の制御で、印刷装置１０に所望の処理を実行させることができる。
【００６３】
以上説明したように、本実施形態に係る印刷装置１０は、記録媒体に印刷する印刷部２１と、外部装置からの電波に基づく起電力で動作するＩＣタグ２５と、所定のトリガーで、ＩＣタグ２５が有する不揮発性メモリー２５４（メモリー）に書き込まれた、印刷部２１の設定に関する情報を含む設定関連情報データ（設定関連情報）を読み出し、読み出した設定関連情報データに基づいて設定情報の設定を行う印刷装置制御部２０（制御部）とを備える。
本発明の構成によれば、印刷装置１０の設定に際し、印刷装置１０と、タブレット端末１１等の装置を近接させて近距離無線通信させ、印刷装置１０の不揮発性メモリー２５４に設定関連情報データを記憶させればよく、印刷装置１０について、設定情報の設定が簡易化する。
【００６４】
また、本実施形態では、印刷装置制御部２０は、設定の変更があった場合、ＩＣタグ２５が有する不揮発性メモリー２５４の内容を、変更後の設定に対応する内容へと書き換える。より具体的には、印刷装置制御部２０は、設定ファイルＳＦの内容の変更があった場合、変更後の設定ファイルＳＦの内容と、設定関連情報データの内容との同一性が維持されるように、設定関連情報データの内容を書き換える。
この構成によれば、設定関連情報データが有する設定値と、設定ファイルＳＦに記述された設定値について、同一性が維持される。これにより、印刷装置１０の電源のオン／オフにかかわらず、また、印刷装置１０のエラーの状態にかかわらず、ユーザーは、タブレット端末１１を印刷装置１０に近接させるという簡易な作業で、タブレット端末１１の機能により、印刷装置１０の設定ファイルＳＦの設定項目にセットされた設定値を参照できる。
【００６５】
また、本実施形態では、印刷装置制御部２０は、エラーが発生した場合、発生したエラーを示す情報をＩＣタグ２５が有する不揮発性メモリー２５４に書き込む。
この構成によれば、印刷装置１０の電源のオン／オフにかかわらず、また、印刷装置１０のエラーの状態にかかわらず、ユーザーは、タブレット端末１１を印刷装置１０に近接させるという簡易な作業で、タブレット端末１１の機能により、印刷装置１０に発生したエラーを認識できる。
【００６６】
また、本実施形態では、印刷装置制御部２０は、印刷部２１に関するステータスを示す情報をＩＣタグ２５が有する不揮発性メモリー２５４に書き込む。また、印刷装置制御部２０は、印刷装置１０に接続されたデバイスに関するステータスを示す情報をＩＣタグ２５が有する不揮発性メモリー２５４に書き込む。
より具体的には、印刷装置制御部２０は、印刷装置１０のステータス、及び、デバイスのステータスに応じて、実際のステータスと、不揮発性メモリー２５４が記憶するステータスデータが示すステータスとの同一性が維持されるように、ステータスデータの内容を書き換える。
この構成によれば、印刷装置１０の電源のオン／オフにかかわらず、また、印刷装置１０のエラーの状態にかかわらず、ユーザーは、タブレット端末１１を印刷装置１０に近接させるという簡易な作業で、タブレット端末１１の機能により、印刷装置１０、及び、印刷装置１０に接続されたデバイスのステータスを取得できる。
【００６７】
なお、上述した実施の形態は、あくまでも本発明の一態様を示すものであり、本発明の範囲内で任意に変形および応用が可能である。
例えば、上述した実施形態では、印刷装置１０は、インクジェット方式のプリンターとしたが、プリンターの形式はこれに限定されない。
また例えば、図を用いて説明した各機能ブロックはハードウェアとソフトウェアにより任意に実現可能であり、特定のハードウェア構成を示唆するものではない。
また、機能ブロック図に示した機能ブロックは、各装置の機能的構成を示すもので、具体的な実装形態を制限しない。つまり、図中の機能ブロックに対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、あるいは、ハードウェアで実現される機能の一部をソフトウェアで実現してもよい。
【符号の説明】
【００６８】
１…印刷システム、１０…印刷装置、２０…印刷装置制御部、２１…印刷部、２５…ＩＣタグ、２５４…不揮発性メモリー（メモリー）。
【図１】
2016187895.tif 000003
【図２】
2016187895.tif 000004
【図３】
2016187895.tif 000005
【図４】
2016187895.tif 000006
【図５】
2016187895.tif 000007
【図６】
2016187895.tif 000008